(57)【要約】【課題】簡単に消磁エリアの範囲を調整する。【解決手段】消磁装置１０は、所定の領域２０ａを取り囲んで配置され、外周の長さ２０ｄが変化する消磁アンテナ２０と、消磁アンテナ２０の外周の長さ２０ｄを識別する識別処理部３１と、識別処理部３１が識別した消磁アンテナ２０の外周の長さ２０ｄに基づいて、出力電圧値を設定する出力電圧値設定部３２と、出力電圧値設定部３２が設定した出力電圧値に応じた電圧を、消磁アンテナ２０に出力する出力部３３と、を有する。【選択図】図１
2012053528.tif 000002
【特許請求の範囲】
【請求項１】
所定の領域を取り囲んで配置され、外周の長さが変化する消磁アンテナと、
前記消磁アンテナの外周の長さを識別する識別処理部と、
前記識別処理部が識別した前記消磁アンテナの外周の長さに基づいて、出力電圧値を設定する出力電圧値設定部と、
前記出力電圧値設定部が設定した出力電圧値に応じた電圧を、前記消磁アンテナに出力する出力部と、
を有することを特徴とする消磁装置。
【請求項２】
前記消磁アンテナは、第１のアンテナ部と、前記第１のアンテナ部に対して所定の方向に移動する第２のアンテナ部とを有し、
前記第１および第２のアンテナ部の一方には、発光素子が形成され、
前記第１および第２のアンテナ部の他方には、前記所定の方向に並んで複数の受光素子が形成され、
前記識別処理部は、前記複数の受光素子のうち、前記発光素子が発光した光を受光した受光素子を識別することで、前記消磁アンテナの外周の長さを識別すること、
を特徴とする請求項１記載の消磁装置。
【請求項３】
複数の電圧値と前記消磁アンテナの外周の長さとが対応付けられたテーブルが格納される記憶部を有し、
前記出力電圧値設定部は、前記識別処理部が識別した前記消磁アンテナの外周の長さに基づいて、前記記憶部から電圧値を抽出し、抽出した電圧値を出力電圧値に設定すること、
を特徴とする請求項１または２記載の消磁装置。
【請求項４】
前記消磁アンテナは、着磁されたタグが取り付けられた商品が近づくと、前記タグを消磁すること、
を特徴とする請求項１から３のいずれか１項に記載の消磁装置。
【請求項５】
商品に取り付けられたバーコードを読み取るためのスキャナ窓を有する商品管理装置に対して、前記スキャナ窓が前記所定の領域に位置するように組み込まれること、
を特徴とする請求項１から４のいずれか１項に記載の消磁装置。
【請求項６】
商品に取り付けられたバーコードを読み取るためのスキャナ窓と、
前記スキャナ窓を取り囲んで配置され、外周の長さが変化する消磁アンテナと、
前記消磁アンテナの外周の長さを識別する識別処理部と、
前記識別処理部が識別した前記消磁アンテナの外周の長さに基づいて、出力電圧値を設定する出力電圧値設定部と、
前記出力電圧値設定部が設定した出力電圧値に応じた電圧を、前記消磁アンテナに出力する出力部と、
を有することを特徴とする商品管理装置。
【請求項７】
前記消磁アンテナは、着磁されたセキュリティタグが取り付けられた商品が近づくと、前記セキュリティタグを消磁すること、
を特徴とする請求項６記載の商品管理装置。
【発明の詳細な説明】
【技術分野】
【０００１】
本発明は、消磁アンテナを有する消磁装置、および、商品管理装置に関する。
【背景技術】
【０００２】
商品にセキュリティタグを取り付けて、商品のセキュリティ管理を行う商品管理システムが存在する。この商品管理システムでは、着磁されたセキュリティタグが商品に取り付けられており、商品の精算が行われると、その商品に取り付けられたセキュリティタグが、消磁装置により消磁される。
【０００３】
消磁装置は、消磁アンテナと、消磁アンテナに電圧を出力する制御装置とを有する。制御装置により消磁アンテナに電圧が出力されると、消磁アンテナに電流が流れ、消磁アンテナの近傍に消磁エリアが発生する。この消磁エリア内に商品が入ると、その商品に取り付けられたセキュリティタグは消磁される。
【０００４】
消磁エリアの範囲は、商品の大きさや、消磁装置の設置場所等に合わせて設定される。消磁エリアの範囲は、消磁アンテナの大きさにより調整することができる。消磁エリアの範囲を調整する際、調整者は、大きさの異なる複数の消磁アンテナから、好適な大きさの消磁アンテナを選択し、さらに、この選択した消磁アンテナに出力する電圧を、制御装置を操作して調整する。
【０００５】
なお、タグを用いた管理システムに用いられる技術としては、例えば、タグに対するアクセスの可否にかかわるアクセス情報を記憶するアクセス情報記憶手段と、タグから識別情報を読み取ると共に、識別情報とアクセス情報とを基にして、タグとの間で通信を行う通信電波の強度を設定する電波強度設定手段とを備えたリーダライタ装置が存在する（例えば、特許文献１参照）。
【０００６】
また、タグリーダが受信電力レベルの通知要求を送信すると、タグは受信電力レベルを通知し、タグリーダは、通知された受信電力レベルに応じてタグに対する送信電力レベルを調整するタグシステムが存在する（例えば、特許文献２参照）。
【０００７】
また、消磁手段の下流近傍に設けられ、タグの磁気を検知する検知手段と、検知手段の検知結果をオペレータに報知する報知手段とを備えた商品情報管理システムが存在する（例えば、特許文献３参照）。
【先行技術文献】
【特許文献】
【０００８】
【特許文献１】国際公開第２００６／１０６５７９号パンフレット
【特許文献２】特開２００３−８４８１号公報
【特許文献３】特開２０００−１７２９４８号公報
【発明の概要】
【発明が解決しようとする課題】
【０００９】
しかしながら、消磁アンテナに出力する電圧を、制御装置を操作して調整する方法は、専門知識等が必要であり、調整に多くの時間と工数がかかってしまう可能性がある。
このような点に鑑み、簡単に消磁エリアの範囲を調整することができる消磁装置、および、商品管理装置を提供することを目的とする。
【課題を解決するための手段】
【００１０】
上記目的を達成するために以下のような消磁装置、および、商品管理装置が提供される。
この消磁装置は、所定の領域を取り囲んで配置され、外周の長さが変化する消磁アンテナと、消磁アンテナの外周の長さを識別する識別処理部と、識別処理部が識別した消磁アンテナの外周の長さに基づいて、出力電圧値を設定する出力電圧値設定部と、出力電圧値設定部が設定した出力電圧値に応じた電圧を、消磁アンテナに出力する出力部と、を有する。
【００１１】
また、この商品管理装置は、商品に取り付けられたバーコードを読み取るためのスキャナ窓と、スキャナ窓を取り囲んで配置され、外周の長さが変化する消磁アンテナと、消磁アンテナの外周の長さを識別する識別処理部と、識別処理部が識別した消磁アンテナの外周の長さに基づいて、出力電圧値を設定する出力電圧値設定部と、出力電圧値設定部が設定した出力電圧値に応じた電圧を、消磁アンテナに出力する出力部と、を有する。
【発明の効果】
【００１２】
本発明の消磁装置、および、商品管理装置によれば、簡単に消磁エリアの範囲を調整することが可能となる。
【図面の簡単な説明】
【００１３】
【図１】第１の実施の形態に係る消磁装置の一例を示す図である。
【図２】第２の実施の形態に係る消磁装置のハードウェアの一例を示す図である。
【図３】図２の部分拡大図である。
【図４】第２の実施の形態に係る制御装置の機能の一例を示すブロック図である。
【図５】第２の実施の形態に係る電圧値テーブルの一例を示す図である。
【図６】第２の実施の形態に係る消磁装置の処理手順の一例を示すフローチャートである。
【図７】第２の実施の形態に係る商品管理装置の一例を示す図である。
【図８】第２の実施の形態に係る消磁アンテナが発生する消磁エリアの一例を示す図である。
【発明を実施するための形態】
【００１４】
以下、実施の形態を図面を参照して説明する。
［第１の実施の形態］
図１は、第１の実施の形態に係る消磁装置の一例を示す図である。
【００１５】
消磁装置１０は、消磁アンテナ２０と、消磁アンテナ２０に電圧を出力する制御装置３０とを有している。
消磁アンテナ２０は、導電体により構成され、所定の領域２０ａを取り囲んで配置されている。消磁アンテナ２０は、制御装置３０から電圧が出力されて電流が流れると、近傍に消磁エリアを発生させる。さらに、消磁アンテナ２０は、外周の長さ２０ｄが変化する機構を備えている。
【００１６】
制御装置３０は、識別処理部３１と、出力電圧値設定部３２と、出力部３３とを有している。識別処理部３１は、消磁アンテナ２０の外周の長さ２０ｄを識別する。出力電圧値設定部３２は、識別処理部３１が識別した消磁アンテナ２０の外周の長さ２０ｄに基づいて、消磁アンテナ２０に出力する出力電圧値を設定する。
【００１７】
ここで、消磁アンテナ２０の近傍に、所定の消磁能力を持つ消磁エリアを発生させるには、消磁アンテナ２０に所定の電流を流す必要がある。しかしながら、消磁アンテナ２０の外周の長さ２０ｄが変化すると、消磁アンテナ２０の抵抗値が変化するため、消磁アンテナ２０に出力する電圧が一定の場合、消磁アンテナ２０に流れる電流が変化してしまう。
【００１８】
このため、出力電圧値設定部３２は、消磁アンテナ２０に所定の電流が流れるように、消磁アンテナ２０の外周の長さ２０ｄに基づいて、消磁アンテナ２０に出力する電圧の電圧値、すなわち、出力電圧値を、適宜、設定する。
【００１９】
出力部３３は、出力電圧値設定部３２が設定した出力電圧値に応じた電圧を、消磁アンテナ２０に出力し、消磁アンテナ２０に所定の電流を流す。
次に、消磁エリアの範囲の調整手順について説明する。
【００２０】
まず、調整者が、例えば、消磁の対象であるセキュリティタグが取り付けられた商品の大きさや、消磁装置１０の設置場所等に合わせて、消磁アンテナ２０の外周の長さ２０ｄを調整する。
【００２１】
次に、識別処理部３１が、消磁アンテナ２０の外周の長さ２０ｄを識別する。
次に、出力電圧値設定部３２が、識別処理部３１が識別した消磁アンテナ２０の外周の長さ２０ｄに基づいて、出力電圧値を設定する。
【００２２】
次に、出力部３３が、出力電圧値設定部３２が設定した出力電圧値に応じた電圧を、消磁アンテナ２０に出力し、消磁アンテナ２０に所定の電流を流す。
これにより、消磁アンテナ２０の近傍に、所定の消磁能力を持つ消磁エリアが発生する。
【００２３】
このように、消磁装置１０では、消磁アンテナ２０の外周の長さ２０ｄが変化し、さらに、制御装置３０が、消磁アンテナ２０に出力する電圧の電圧値を、消磁アンテナ２０の外周の長さ２０ｄに基づいて設定する。
【００２４】
このため、消磁アンテナ２０の外周の長さ２０ｄを変化させるだけで、消磁エリアの範囲を簡単に調整することが可能となる。
［第２の実施の形態］
次に、第１の実施の形態の消磁装置１０をより具体的にした実施の形態について、第２の実施の形態として説明する。
【００２５】
図２は、第２の実施の形態に係る消磁装置のハードウェアの一例を示す図である。図３は、図２の部分拡大図である。なお、図３は、説明のため、消磁装置が分解された状態を示す。
【００２６】
図２に示すように、消磁装置１００は、消磁アンテナ１１０と、消磁アンテナ１１０に電圧を出力する制御装置１３０とを有している。制御装置１３０から消磁アンテナ１１０に電圧が出力され、消磁アンテナ１１０に電流が流れると、消磁アンテナ１１０は、その近傍に消磁エリアを発生させる。
【００２７】
まず、消磁アンテナ１１０について説明する。消磁アンテナ１１０は、固定アンテナ部１１１，１１２と、可動アンテナ部１１３とを有している。固定アンテナ部１１１，１１２および可動アンテナ部１１３は、導電性の板により構成されている。固定アンテナ部１１１，１１２および可動アンテナ部１１３の材料には、例えば、銅（Ｃｕ）が用いられている。
【００２８】
固定アンテナ部１１１，１１２は、所定の領域１１０ａの一部を取り囲んで配置されている。可動アンテナ部１１３は、所定の領域１１０ａの残りの領域を取り囲んで配置されている。すなわち、固定アンテナ部１１１，１１２および可動アンテナ部１１３により、所定の領域１１０ａは包囲されている。
【００２９】
固定アンテナ部１１１は、Ｘ方向に延在する延在部１１１ａを備えている。固定アンテナ部１１２は、Ｘ方向に延在する延在部１１２ａを備えている。可動アンテナ部１１３は、Ｘ方向に延在する延在部１１３ａ，１１３ｂを備えている。延在部１１１ａと延在部１１３ａ、および、延在部１１２ａと延在部１１３ｂは、それぞれ密着しており、電気的に接続されている。
【００３０】
さらに、可動アンテナ部１１３は、固定アンテナ部１１１，１１２に対して、Ｘ方向において移動が可能なように、取り付けられている。すなわち、延在部１１３ａ，１１３ｂは、延在部１１１ａ，１１２ａに対して、Ｘ方向にスライドする。
【００３１】
可動アンテナ部１１３が、固定アンテナ部１１１，１１２に対してＸ方向に移動することで、消磁アンテナ１１０の外周の長さ１１０ｄは変化する。すなわち、延在部１１１ａと延在部１１３ａ、および、延在部１１２ａと延在部１１３ｂの重なり部分が大きくなると、外周の長さ１１０ｄは短くなり、延在部１１１ａと延在部１１３ａ、および、延在部１１２ａと延在部１１３ｂの重なり部分が小さくなると、外周の長さ１１０ｄは長くなる。
【００３２】
さらに、図２および図３に示すように、固定アンテナ部１１１の延在部１１１ａには、貫通孔１１４が設けられている。さらに、延在部１１１ａには、貫通孔１１４と重なる位置に、発光素子１１５が取り付けられている。
【００３３】
また、可動アンテナ部１１３の延在部１１３ａには、Ｘ方向に並んで複数の貫通孔１１６，１１７，１１８が設けられている。さらに、延在部１１３ａには、貫通孔１１６〜１１８のそれぞれと重なる位置に、受光素子１１９，１２０，１２１が取り付けられている。
【００３４】
可動アンテナ部１１３が、固定アンテナ部１１１，１１２に対して、Ｘ方向に移動することで、貫通孔１１４は、貫通孔１１６〜１１８のそれぞれと重なる。貫通孔１１４が貫通孔１１６と重なる場合、発光素子１１５が発光した光は、貫通孔１１４，１１６を介して、受光素子１１９により受光される。
【００３５】
貫通孔１１４が貫通孔１１７と重なる場合、発光素子１１５が発光した光は、貫通孔１１４，１１７を介して、受光素子１２０により受光される。図２および図３では、この状態が図示されている。貫通孔１１４が貫通孔１１８と重なる場合、発光素子１１５が発光した光は、貫通孔１１４，１１８を介して、受光素子１２１により受光される。
【００３６】
ここで、可動アンテナ部１１３は、貫通孔１１４が、貫通孔１１６〜１１８のそれぞれと重なる位置で停止するように、固定アンテナ部１１１，１１２に対して、段階的に移動する。
【００３７】
なお、可動アンテナ部１１３に設けられる受光素子の数は、３つに限定されるものではない。受光素子は、後述するように、消磁アンテナ１１０の外周の長さ１１０ｄを識別するために用いられるものである。例えば、受光素子の数は、この識別の精度に応じて、適宜設定される。例えば、識別の精度を高くする場合には、受光素子の数を増やせばよい。
【００３８】
また、消磁装置１００では、発光素子１１５が固定アンテナ部１１１に取り付けられ、受光素子１１９〜１２１が可動アンテナ部１１３に取り付けられているが、発光素子１１５を可動アンテナ部１１３に取り付け、受光素子１１９〜１２１を固定アンテナ部１１１に取り付けることも可能である。
【００３９】
次に、制御装置１３０について説明する。図２に示すように、制御装置１３０は、ＣＰＵ（Central Processing Unit）１３１によって装置全体が制御されている。ＣＰＵ１３１は、バス１３６を介してメモリ１３２と、受光素子コントローラ１３３と、発光素子コントローラ１３４と、アンテナコントローラ１３５と接続されている。
【００４０】
メモリ１３２には、ＣＰＵ１３１に実行させるプログラムや、ＣＰＵ１３１による処理に必要な各種データが格納される。
受光素子コントローラ１３３には、配線１４１，１４２，１４３をそれぞれ介して、受光素子１１９〜１２１が接続されている。受光素子コントローラ１３３は、受光素子１１９〜１２１から送られてくる信号を、ＣＰＵ１３１に送信する。
【００４１】
発光素子コントローラ１３４には、配線１４４を介して、発光素子１１５が接続されている。発光素子コントローラ１３４は、ＣＰＵ１３１からの命令に従って、発光素子１１５を発光させる。
【００４２】
アンテナコントローラ１３５には、配線１４５，１４６をそれぞれ介して、固定アンテナ部１１１，１１２が接続されている。アンテナコントローラ１３５は、ＣＰＵ１３１からの命令に従って、固定アンテナ部１１１，１１２に電圧を出力し、消磁アンテナ１１０に電流を流す。
【００４３】
次に、制御装置１３０の機能について説明する。
図４は、第２の実施の形態に係る制御装置の機能の一例を示すブロック図である。
制御装置１３０は、発光処理部１５１と、受光処理部１５２と、識別処理部１５３と、出力電圧値設定部１５４と、電圧値テーブル記憶部１５５と、出力電圧値記憶部１５６と、出力部１５７とを有する。
【００４４】
発光処理部１５１は、発光素子１１５を発光させる。受光処理部１５２は、受光素子１１９〜１２１から送られた信号を受信する。ここで、受光素子１１９〜１２１は、それぞれ、「Ａ」、「Ｂ」、「Ｃ」の識別子によって、制御装置１３０内で識別される。
【００４５】
識別処理部１５３は、受光処理部１５２が受信した信号が、受光素子１１９〜１２１のうち、どの受光素子から送られた信号かを識別する。ここで、消磁アンテナ１１０の外周の長さ１１０ｄに応じて、受光素子１１９〜１２１のうち、発光素子１１５が発光した光を受光する受光素子は異なる。
【００４６】
すなわち、受光処理部１５２が受信した信号が、受光素子１１９〜１２１のうち、どの受光素子から送られた信号かを識別することで、間接的に消磁アンテナ１１０の長さ１１０ｄを識別することができる。
【００４７】
電圧値テーブル記憶部１５５には、電圧値テーブルが格納される。電圧値テーブルには、各受光素子１１９〜１２１に対応付けて、複数の電圧値が格納される。
ここで、消磁アンテナ１１０の近傍に、所定の消磁能力を持つ消磁エリアを発生させるには、消磁アンテナ１１０に所定の電流を流す必要がある。しかしながら、消磁アンテナ１１０の外周の長さ１１０ｄが変化すると、消磁アンテナ１１０の抵抗値が変化するため、消磁アンテナ１１０に出力する電圧が一定の場合、消磁アンテナ１１０に流れる電流が変化してしまう。
【００４８】
すなわち、消磁アンテナ１１０に所定の電流を流すためには、消磁アンテナ１１０の外周の長さ１１０ｄに応じて、消磁アンテナ１１０に出力する電圧の電圧値を設定する必要がある。
【００４９】
つまり、電圧値テーブルに格納される電圧値は、このためのものであり、消磁アンテナ１１０に所定の電流を流すために、消磁アンテナ１１０の外周の長さ１１０ｄに応じて予め計算された電圧値である。
【００５０】
また、消磁装置１００では、発光素子１１５が発光した光を、受光素子１１９〜１２１のうち、どの受光素子が受光したかを識別することで、消磁アンテナ１１０の外周の長さ１１０ｄを識別できる。このため、電圧値テーブルでは、電圧値を、消磁アンテナ１１０の外周の長さ１１０ｄの代わりに、各受光素子１１９〜１２１に対応付けている。
【００５１】
出力電圧値設定部１５４は、電圧値テーブル記憶部１５５から、識別処理部１５３が識別した受光素子に対応した電圧値を抽出し、抽出した電圧値を出力電圧値に設定し、出力電圧値記憶部１５６に格納する。
【００５２】
出力部１５７は、出力電圧値記憶部１５６に記憶された出力電圧値に応じた電圧を、消磁アンテナ１１０に出力し、消磁アンテナ１１０に所定の電流を流す。
次に、電圧値テーブル記憶部１５５に格納される電圧値テーブルについて説明する。
【００５３】
図５は、第２の実施の形態に係る電圧値テーブルの一例を示す図である。
電圧値テーブル１５５ａでは、受光素子１１９〜１２１の識別子である「Ａ」〜「Ｃ」に対して、電圧値（Ｖ）が対応付けられている。ここでは、識別子「Ａ」〜「Ｃ」に対して、「６」、「８」、「１０」がそれぞれ対応付けられている。
【００５４】
すなわち、例えば、受光素子１１９（識別子「Ａ」）が、発光素子１１５が発光する光を受光した場合、固定アンテナ部１１１の延在部１１１ａと、可動アンテナ部１１３の延在部１１３ａとの重なり部分が最も大きくなり、消磁アンテナ１１０の外周の長さ１１０ｄは、最も小さくなる。この場合、消磁アンテナ１１０の抵抗値が小さくなるため、消磁アンテナ１１０に所定の電流を流すために消磁アンテナ１１０に出力する電圧は、最も小さく、例えば、「６」Ｖとなる。
【００５５】
また、例えば、受光素子１２０（識別子「Ｂ」）が、発光素子１１５が発光する光を受光した場合、固定アンテナ部１１１の延在部１１１ａと、可動アンテナ部１１３の延在部１１３ａとの重なり部分の大きさは中間値となり、消磁アンテナ１１０の外周の長さ１１０ｄは、中間値となる。この場合、消磁アンテナ１１０の抵抗値が中間値となるため、消磁アンテナ１１０に所定の電流を流すために消磁アンテナ１１０に出力する電圧は、中間値、例えば、「８」Ｖとなる。
【００５６】
また、例えば、受光素子１２１（識別子「Ｃ」）が、発光素子１１５が発光する光を受光した場合、固定アンテナ部１１１の延在部１１１ａと、可動アンテナ部１１３の延在部１１３ａとの重なり部分が最も小さくなり、消磁アンテナ１１０の外周の長さ１１０ｄは、最も大きくなる。この場合、消磁アンテナ１１０の抵抗値が大きくなるため、消磁アンテナ１１０に所定の電流を流すために消磁アンテナ１１０に出力する電圧は、最も大きく、例えば、「１０」Ｖとなる。
【００５７】
次に、消磁装置１００の処理手順について説明する。
図６は、第２の実施の形態に係る消磁装置の処理手順の一例を示すフローチャートである。
【００５８】
［ステップＳ１００］発光処理部１５１が、発光素子１１５を発光させる。これにより、受光素子１１９〜１２１のいずれか１つが、発光素子１１５が発光した光を受光する。
［ステップＳ１０１］識別処理部１５３が、受光処理部１５２が受信した信号は、受光素子１１９〜１２１のうち、どの受光素子から送られた信号かを識別する。
【００５９】
［ステップＳ１０２］出力電圧値設定部１５４が、電圧値テーブル１５５ａから、識別処理部１５３が識別した受光素子に対応した電圧値を抽出する。
［ステップＳ１０３］出力電圧値設定部１５４が、ステップＳ１０２で抽出した電圧値を出力電圧値に設定し、出力電圧値記憶部１５６に格納する。
【００６０】
［ステップＳ１０４］出力部１５７が、出力電圧値記憶部１５６に記憶された出力電圧値に応じた電圧を、消磁アンテナ１１０に出力し、消磁アンテナ１１０に所定の電流を流して処理を終了する。
【００６１】
これにより、消磁アンテナ１１０に、所定の電流が流れ、消磁アンテナ１１０の近傍に、所定の消磁能力を持つ消磁エリアが発生する。
次に、消磁装置１００が組み込まれた商品管理装置の例について説明する。
【００６２】
図７は、第２の実施の形態に係る商品管理装置の一例を示す図である。
図７（Ａ）は、セルフチェックアウトシステムに用いられる商品管理装置１７０を示す。商品管理装置１７０は、本体部１７１と、本体部１７１の両側に取り付けられた載置台１７２，１７３とを有している。
【００６３】
載置台１７２には、精算前の商品が載置される。なお、商品には、バーコードと、セキュリティタグが取り付けられている。このとき、セキュリティタグは着磁されている。
本体部１７１には、スキャナ窓１７４と、表示画面１７５とが設けられている。スキャナ窓１７４の奥には図示しないスキャナが内蔵されている。
【００６４】
消磁装置１００は、例えば、本体部１７１に組み込まれている。ここで、消磁アンテナ１１０は、スキャナ窓１７４を取り囲むように配置されている。
商品が、スキャナ窓１７４の手前を通過することで、商品に取り付けられたバーコードが、スキャナ窓１７４を介してスキャナに読み取られ、さらに、商品に取り付けられたセキュリティタグが、消磁アンテナ１１０により消磁される。
【００６５】
載置台１７３には、スキャナ窓１７４の手前を通過させた商品が載置される。
図７（Ｂ）は、ＰＯＳ（Point Of Sale）システムに用いられる商品管理装置１８０を示す。商品管理装置１８０は、読み取り部１８１と、載置台１８２と、精算部１８３とを有している。
【００６６】
載置台１８２には、商品が載置される。なお、商品には、バーコードと、セキュリティタグが取り付けられている。読み取り部１８１を通過する前、セキュリティタグは着磁されている。
【００６７】
読み取り部１８１には、スキャナ窓１８４と、表示画面１８５とが設けられている。スキャナ窓１８４の奥には図示しないスキャナが内蔵されている。
消磁装置１００は、例えば、読み取り部１８１に組み込まれている。ここで、消磁アンテナ１１０は、スキャナ窓１８４を取り囲むように配置されている。
【００６８】
商品が、スキャナ窓１８４の手前を通過することで、商品に取り付けられたバーコードが、スキャナ窓１８４を介してスキャナに読み取られ、さらに、商品に取り付けられたセキュリティタグが、消磁アンテナ１１０により消磁される。
【００６９】
次に、消磁アンテナ１１０が発生する消磁エリアについて説明する。
図８は、第２の実施の形態に係る消磁アンテナが発生する消磁エリアの一例を示す図である。なお、図８（Ａ）は、消磁装置１００を、図７（Ａ）に示す商品管理装置１７０に組み込んだ場合を例とし、図８（Ｂ）は、消磁装置１００を、図７（Ｂ）に示す商品管理装置１８０に組み込んだ場合を例としている。
【００７０】
図８（Ａ）は、スキャナ窓１７４が小さい場合を示し、図８（Ｂ）は、スキャナ窓１８４が大きい場合を示す。図８（Ａ）、（Ｂ）に示すように、消磁エリア１１０ｂは、消磁アンテナ１１０の近傍に発生する。
【００７１】
図８（Ａ）に示すように、スキャナ窓１７４が小さい場合、消磁アンテナ１１０の外周は短くなり、発生する消磁エリア１１０ｂの範囲は小さくなる。また、スキャナ窓１７４は、消磁エリア１１０ｂから露出している。
【００７２】
図８（Ｂ）に示すように、スキャナ窓１８４が大きい場合、消磁アンテナ１１０の外周は長くなり、発生する消磁エリア１１０ｂの範囲は大きくなる。また、スキャナ窓１８４は、消磁エリア１１０ｂから露出している。
【００７３】
以上、説明してきたように、消磁装置１００では、消磁アンテナ１１０の外周の長さ１１０ｄが変化し、さらに、制御装置１３０が、消磁アンテナ１１０に出力する電圧の電圧値を、消磁アンテナ１１０の外周の長さ１１０ｄに基づいて設定する。
【００７４】
このため、消磁アンテナ１１０の外周の長さ１１０ｄを変化させるだけで、消磁エリアの範囲を簡単に調整することが可能となる。
さらに、消磁装置１００では、固定アンテナ部１１１に発光素子１１５が取り付けられ、可動アンテナ部１１３に複数の受光素子１１９〜１２１が取り付けられ、発光素子１１５が発光した光を、受光素子１１９〜１２１のうち、どの受光素子が受光したかを識別することで、消磁アンテナ１１０の外周の長さ１１０ｄを識別している。
【００７５】
本実施の形態では、受光素子１１９〜１２１および発光素子１１５を使って消磁アンテナ１１０の外周の長さ１１０ｄを識別しているが、識別の方法はこれに限らず、例えば、消磁アンテナ１１０に電圧を印加し、流れる電流値を測定し、その電流値に基づき消磁アンテナ１１０の外周の長さ１１０ｄを識別するようにしてもよい。
【００７６】
これにより、消磁アンテナ１１０の外周の長さ１１０ｄを、複雑な構成を用いることなく、簡単に識別することが可能となる。例えば、消磁アンテナ１１０の外周の全長を直接計測するような方法では、複雑な構成が必要となる可能性がある。
【符号の説明】
【００７７】
１０，１００  消磁装置
２０，１１０  消磁アンテナ
２０ａ，１１０ａ  所定の領域
２０ｄ，１１０ｄ  長さ
３０，１３０  制御装置
３１，１５３  識別処理部
３２，１５４  出力電圧値設定部
３３，１５７  出力部
１１０ｂ  消磁エリア
１１１，１１２  固定アンテナ部
１１１ａ，１１２ａ，１１３ａ，１１３ｂ  延在部
１１３  可動アンテナ部
１１４，１１６〜１１８  貫通孔
１１５  発光素子
１１９〜１２１  受光素子
１３１  ＣＰＵ
１３２  メモリ
１３３  受光素子コントローラ
１３４  発光素子コントローラ
１３５  アンテナコントローラ
１３６  バス
１４１〜１４６  配線
１５１  発光処理部
１５２  受光処理部
１５５  電圧値テーブル記憶部
１５５ａ  電圧値テーブル
１５６  出力電圧値記憶部
１７０，１８０  商品管理装置
１７１  本体部
１７２，１７３，１８２  載置台
１７４，１８４  スキャナ窓
１７５，１８５  表示画面
１８１  読み取り部
１８３  精算部
【図１】
2012053528.tif 000003
【図２】
2012053528.tif 000004
【図３】
2012053528.tif 000005
【図４】
2012053528.tif 000006
【図５】
2012053528.tif 000007
【図６】
2012053528.tif 000008
【図７】
2012053528.tif 000009
【図８】
2012053528.tif 000010